(57)【特許請求の範囲】
【請求項１】
複数の操作子と、メモリを有する判断部とを備え、前記判断部が前記各操作子に対する操作に応じて他の機器に対して制御機能の切り換えを指示する制御機能信号を出力する操作子装置であって、
前記判断部は、前記操作子を少なくとも一の制御機能と対応付け、操作された操作子を特定し、特定した前記操作子に対応付けした前記制御機能の切り換えを指示する制御機能信号を出力し、
第１の操作子及び第２の操作子それぞれに、複数の制御機能を対応付け、同一の操作子が連続して操作された場合に出力される制御機能信号に対応する情報を、前記第１の操作子、前記第２の操作子のそれぞれ毎に前記メモリに記憶させ、
前記第１の操作子が連続して操作された場合、前記第１の操作子に対応付けした複数の制御機能を順次切り換えるように各制御機能に対応した各制御機能信号を出力し、
前記第１の操作子が一の操作をされた後に、前記第２の操作子が操作され、その後、前記第１の操作子が一度だけ二の操作をされた場合、前記第１の操作子の前記一の操作で記憶した前記情報により特定される前記制御機能信号を出力することを特徴とする操作子装置。
【請求項２】
前記判断部は、第３の操作子に少なくとも一の制御機能を対応付けし、
前記第１の操作子の前記一の操作と前記二の操作との間に前記第３の操作子が操作された場合、前記第１の操作子の前記一の操作で記憶した前記情報により特定される前記制御機能信号を出力することを特徴とする請求項１記載の操作子装置。
【請求項３】
前記判断部は、第３の操作子に少なくとも一の制御機能を対応付けし、
前記第１の操作子の操作と、前記第２の操作子の操作との間に前記第３の操作子が操作された場合、前記メモリに記憶させた前記第２の操作子の情報により特定される前記制御機能信号を出力することを特徴とする請求項１記載の操作子装置。
【請求項４】
前記複数の操作子は、ボタン方式又はタッチパネル方式であることを特徴とする請求項１乃至請求項３のいずれか１項に記載の操作子装置。
【請求項５】
前記制御機能信号を光信号に変換して外部に放出する送信部を備えたことを特徴とする請求項１乃至請求項４のいずれか１項に記載の操作子装置。
【発明の詳細な説明】
【技術分野】
【０００１】
本発明は、機器を操作するための操作子を複数個備えた操作子装置において、操作子の全体数量を削減するために、複数個の操作子のうちで一つの操作子を押すたびに複数の制御機能の切り換えを巡回可能に指示する多機能操作子を少なくとも２個以上有し、操作子の数量を削減した場合でも、各多機能操作子の使用勝手が良い操作子装置に関するものである。
【背景技術】
【０００２】
一般的に、機器を操作するための操作子（ボタンなど）を複数個備えた操作子装置は、各種の電子機器とか、各種の電子機器をそれぞれ遠隔制御するリモコン装置とか、携帯端末などに多用されている。
【０００３】
この種の操作子装置において、機器を操作するための複数個の操作子（以下、ボタンと呼称する）それぞれは、通常、一つの制御機能の実行を指示するように割り当てられており、例えば、従来例１の操作子装置として、電機機器メーカ各社で製造された各テレビジョン受像機（ＴＶ）に対して共通に使用できるリモコン装置が図５に示した構造形態で既に市販されている。
【０００４】
図５は従来例１の操作子装置をＴＶ用のリモコン装置に適用した場合を示した上面図である。
【０００５】
図５に示した如く、従来例１の操作子装置を適用したＴＶ用のリモコン装置１００では、リモコンケース１０１の操作パネル面１０１上に、「放送切換」ボタン１１１と、「入力切換」ボタン１１２と、「電源」ボタン１１３と、「ＣＳ」ボタン１１４と、「ＢＳ」ボタン１１５と、「地上デジタル」ボタン１１６と、「地上アナログ」ボタン１１７と、「１」〜「１２」の数字ボタン１１８〜１２９とが押圧操作可能に取り付けられている。
【０００６】
そして、これら複数個のボタン１１１〜１２９は、それぞれ一つの制御機能の実行を指示するように割り当てられている。
【０００７】
更に、複数個のボタン１１１〜１２９以外に、「ＶＯＬ」アップ・ダウン用操作ボタン１３０，１３１や、「ＣＨ」アップ・ダウン用操作ボタン１３２，１３３なども設けられている。
【０００８】
一方、従来例２の操作子装置として、ボタンの数量を削減するために複数個の短縮釦（多機能ボタンに相当）を備えたリモコン送信器がある（例えば、特許文献１参照）。
【０００９】
図６は従来例２の操作子装置をリモコン送信器に適用した場合を示した上面図である。
【００１０】
図６に示した従来例２の操作子装置を適用したリモコン送信器２００は、上記した特許文献１（特開昭６３−３００６９５号公報）に開示されているものであり、ここでは特許文献１を参照して簡略に説明する。
【００１１】
図６に示した如く、従来例２の操作子装置を適用したリモコン送信器２００では、リモコンケース２０１の操作パネル面２０１ａ上に、３個の短縮釦２１１〜２１３と、ヘルプ釦２１４と、ＴＶモード釦２１５と、ＶＴＲモード釦２１６と、電源釦２１７と、「１」〜「１２」の数字釦２１８〜２２９とが押圧操作可能に取り付けられている。
【００１２】
この際、複数個の釦２１１〜２２９のうちで、３個の短縮釦（多機能ボタンに相当）２１１〜２１３は、一つの短縮釦を押すたびに複数の制御機能の切り換えを巡回可能に指示すものであるから、釦の数量を削減できる。
【００１３】
そして、この公報中には、具体例として、上記した一つの短縮釦２１１を押下すれば、「ＴＶオン」→「ビデオ」→「ＶＴＲオン」→「ＶＴＲ再生」→「ＴＶオン」→「ビデオ」…の順に釦押圧操作に対応して各コードデータが順次送信されるようになっているので、釦の数量を削減した上で短縮釦２１１〜２１３の操作性を向上させることができる旨が示されている。
【００１４】
更に、従来例３の操作子装置として、ここでの図示を省略するものの、携帯電話ケースの側面に一つの多機能ボタンが取り付けられており、この一つの多機能ボタンを押すたびに、撮影モード、通話モード、及びテレビ番組視聴モードの３つのモードを切り換えることができる携帯電話機がある（例えば、特許文献２参照）。
【００１５】
【特許文献１】特開昭６３−３００６９５号公報
【特許文献２】特開２００６−１４０７４号公報
【発明の開示】
【発明が解決しようとする課題】
【００１６】
ところで、図５に示した従来例１の操作子装置を適用したＴＶ用のリモコン装置１００では、前述したように、複数個のボタン１１１〜１２９がそれぞれ一つの制御機能の実行を指示するように割り当てられているので、各ボタン１１１〜１２９の使用目的が明確化されるために、各ボタン１１１〜１２９の操作性が良好であるものの、この従来例１においてはボタンの数量を削減する対策は施されていない。
【００１７】
そこで、図６に示した従来例２の操作子装置を適用したリモコン送信器２００に開示された複数個の短縮釦（多機能ボタンに相当）２１１〜２１３の技術的思想、又は、従来例３の操作子装置を適用した携帯電話機に開示された多機能ボタンの技術的思想を、上記したリモコン装置１００に用いた場合に、例えば、「ＣＳ」ボタン１１４と「ＢＳ」ボタン１１５とを一緒にした不図示の「ＢＳ／ＣＳ」多機能ボタンと、「地上デジタル」ボタン１１６と「地上アナログ」ボタン１１７とを一緒にした不図示の「地上デジタル／地上アナログ」多機能ボタンとをそれぞれ操作機能に基づいて関連付けて設けることで、ボタンの数量を４個から２個に削減することができる。
【００１８】
この場合に、「ＢＳ／ＣＳ」多機能ボタンを押すたびに「ＢＳ」→「ＣＳ」→「ＢＳ」→「ＣＳ」→…の順にボタン押圧操作に対応して各コードデータが順次送信され、また、「地上デジタル／地上アナログ」多機能ボタンを押すたびに「地上デジタル」→「地上アナログ」→「地上デジタル」→「地上アナログ」→…の順にボタン押圧操作に対応して各コードデータが順次送信されるようになる。
【００１９】
しかしながら、上記したＴＶ用のリモコン装置１００に対してリモコンケース１０１の操作パネル面１０１ａ上に、不図示の「ＢＳ／ＣＳ」多機能ボタンと、不図示の「地上デジタル／地上アナログ」多機能ボタンとを取り付けた場合に、下記するように「ＢＳ／ＣＳ」多機能ボタン及び「地上デジタル／地上アナログ」多機能ボタンの使用勝手が低下する場合が生じてしまう。
【００２０】
即ち、例えば、ユーザがＣＳ放送と地上デジタル放送とを常に見ていて、ＢＳ放送と地上アナログ放送を見ない場合に、ＣＳ放送を見るために「ＢＳ／ＣＳ」多機能ボタンを２回押し、この後、地上デジタル放送を見るために「地上デジタル／地上アナログ」多機能ボタンを１回押した場合に、再度、ＣＳ放送を見るためには、「ＢＳ／ＣＳ」多機能ボタンを２回押さなければならない。
【００２１】
上記したように、「ＢＳ／ＣＳ」多機能ボタン又は「地上デジタル／地上アナログ」多機能ボタン中で２回押圧操作を必要とする「ＣＳ」又は「地上アナログ」を常に操作するユーザに取っては、「ＣＳ／ＢＳ」多機能ボタン又は「地上デジタル／地上アナログ」多機能ボタンを再度使用する場合に必ず２回押圧操作をしなければならないので、「ＢＳ／ＣＳ」多機能ボタン及び「地上デジタル／地上アナログ」多機能ボタンの使用勝手が悪くなってしまう。
【００２２】
そこで、機器を操作するための操作子を複数個備えた操作子装置において、操作子の全体数量を削減するために、複数個の操作子のうちで一つの操作子を押すたびに複数の制御機能の切り換えを巡回可能に指示する多機能操作子を少なくとも２個以上有し、操作子の数量を削減した場合でも、各多機能操作子の使用勝手が良い操作子装置が望まれている。
【課題を解決するための手段】
【００２３】
本発明は上記課題に鑑みてなされたものであり、第１の発明は、複数の操作子と、メモリを有する判断部とを備え、前記判断部が前記各操作子に対する操作に応じて他の機器に対して制御機能の切り換えを指示する制御機能信号を出力する操作子装置であって、
前記判断部は、前記操作子を少なくとも一の制御機能と対応付け、操作された操作子を特定し、特定した前記操作子に対応付けした前記制御機能の切り換えを指示する制御機能信号を出力し、
第１の操作子及び第２の操作子それぞれに、複数の制御機能を対応付け、同一の操作子が連続して操作された場合に出力される制御機能信号に対応する情報を、前記第１の操作子、前記第２の操作子のそれぞれ毎に前記メモリに記憶させ、
前記第１の操作子が連続して操作された場合、前記第１の操作子に対応付けした複数の制御機能を順次切り換えるように各制御機能に対応した各制御機能信号を出力し、
前記第１の操作子が一の操作をされた後に、前記第２の操作子が操作され、その後、前記第１の操作子が一度だけ二の操作をされた場合、前記第１の操作子の前記一の操作で記憶した前記情報により特定される前記制御機能信号を出力することを特徴とする操作子装置である。
【００２４】
また、第２の発明は、上記した第１の発明の操作子装置において、
前記判断部は、第３の操作子に少なくとも一の制御機能を対応付けし、
前記第１の操作子の前記一の操作と前記二の操作との間に前記第３の操作子が操作された場合、前記第１の操作子の前記一の操作で記憶した前記情報により特定される前記制御機能信号を出力することを特徴とする操作子装置である。
【００２５】
また、第３の発明は、上記した第１の発明の操作子装置において、
前記判断部は、第３の操作子に少なくとも一の制御機能を対応付けし、
前記第１の操作子の操作と、前記第２の操作子の操作との間に前記第３の操作子が操作された場合、前記メモリに記憶させた前記第２の操作子の情報により特定される前記制御機能信号を出力することを特徴とする操作子装置である。
【００２６】
また、第４の発明は、上記した第１〜第３のいずれかの発明の操作子装置において、
前記複数の操作子は、ボタン方式又はタッチパネル方式であることを特徴とする操作子装置である。
【００２７】
更に、第５の発明は、上記した第１〜第４のいずれかの発明の操作子装置において、
前記制御機能信号を光信号に変換して外部に放出する送信部を備えたことを特徴とする操作子装置である。
【発明の効果】
【００２８】
第１の発明の操作子装置によると、とくに、複数の操作子と、メモリを有する判断部とを備えた際、複数の操作子のうち少なくとも第１及び第２の操作子それぞれに、複数の制御機能を対応付けすると共に、複数の制御機能を対応付けされた第１及び第２の操作子は、所定の条件に基づいて予め一つのグループとしてグループ化されており、更に、第１及び第２の操作子が操作された場合に、最後に押された各制御機能信号に対応した各情報をメモリに記憶し、第１の操作子（又は第２の操作子）が連続して操作された場合、判断部は、第１の操作子（又は第２の操作子）に対応付けした複数の制御機能を順次切り換えるように各制御機能に対応した各制御機能信号を出力し、第１の操作子（又は第２の操作子）が一の操作をされた後に、第２の操作子（又は第１の操作子）が操作され、その後、第１の操作子（又は第２の操作子）が一度だけ二の操作をされた場合、判断部は、一の操作で記憶した情報により特定される制御機能信号を出力しているので、第１の操作子（又は第２の操作子）で一度だけ二の操作したときに一度だけの押圧操作のみでＲＡＭ内に一の操作で記憶された第１の操作子（又は第２の操作子）の情報により特定される制御機能信号が足踏みした状態で送信されるので、再度押圧操作される際の制御機能を常に使用するものとすれば、ユーザの第１及び第２の操作子への押圧操作が簡単となると共に、機器に対して常に使用する制御機能を迅速に切り換えることができるので、複数の制御機能の切り換えを指示するグループ化された少なくとも第１及び第２の操作子への使用勝手が良好となると共に、グループ化された少なくとも第１及び第２の操作子を有することで、複数個の操作子の数量を削減することができる。
【００２９】
また、第２の発明の操作子装置によると、とくに、判断部は、複数の操作子のうち少なくとも一つのグループ化されていない第３操作子に単一又は複数の制御機能を対応付けし、第１の操作子（又は第２の操作子）への一の操作と二の操作との間に第３の操作子への操作が行われても、一度だけの二の操作により、一の操作で記憶した情報により特定される制御機能信号を出力しているので、操作子装置の使用勝手が良好となる。
【００３０】
また、第３の発明の操作子装置によると、とくに、判断部は、複数の操作子のうち少なくとも一つのグループ化されていない第３操作子に単一又は複数の制御機能を対応付けし、第１の操作子（又は第２の操作子）と、第２の操作子（又は第１の操作子）との間に第３の操作子への操作が行われた場合、一度だけの第２の操作子（又は第１の操作子）の操作により、以前に記憶した第２の操作子（又は第１の操作子）の情報により特定される制御機能信号を出力しているので、第１の発明と同様に、複数の制御機能の切り換えを指示するグループ化された少なくとも第１及び第２の操作子への使用勝手が良好となると共に、グループ化された少なくとも第１及び第２の操作子を有することで、複数個の操作子の数量を削減することができる。
【００３１】
また、第４の発明の操作子装置によると、とくに、複数の操作子は、ボタン方式又はタッチパネル方式であるので、いかなる操作子装置にも適応可能である。
【００３２】
更に、第５の発明の操作子装置によると、とくに、制御機能信号を光信号に変換して外部に放出する送信部を備えたため、少なくとも第１及び第２の操作子を有効に利用して、機器を遠隔制御できる。
【発明を実施するための最良の形態】
【００３３】
以下に本発明に係る操作子装置の一実施例について、図１〜図４を参照して詳細に説明する。
【００３４】
本発明に係る操作子装置は、機器を操作するための操作子（ボタンなど）を複数個備え、且つ、複数個の操作子のうちで一つの操作子を押すたびに複数の制御機能の切り換えを巡回可能に指示する多機能操作子を少なくとも２個以上有し、且つ、後述するように少なく２個以上の多機能操作子は所定の関連条件に基づいて予め一つのグループとしてグループ化された多機能グループ操作子として構成されていることを特徴とするものである。
【００３５】
そして、本発明に係る操作子装置は、各種の電子機器とか、各種の電子機器をそれぞれ遠隔制御するリモコン装置とか、携帯端末などに適用可能となっているが、以下の実施例において、本発明に係る操作子装置を例えばテレビジョン受像機（ＴＶ）用のリモコン装置に適用した場合について説明する。
【実施例】
【００３６】
図１は本発明に係る操作子装置を説明するための全体構成図、
図２は本発明に係る操作子装置を適用したＴＶ用のリモコン装置を拡大して示した上面図である。
【００３７】
図１に示した如く、本発明に係る操作子装置を適用したＴＶ用のリモコン装置１０は、先に図５を用いて説明した従来例のリモコン装置１００と同様に、電機機器メーカ各社で製造された各テレビジョン受像器（ＴＶ）に対して共通に使用可能に構成されている。
【００３８】
上記したＴＶ用のリモコン装置１０では、リモコンケース１１が樹脂材を用いて上下に２分割されており、上下を蓋合わせして箱状に形成されている。
【００３９】
また、リモコンケース１１の内部には、このリモコン装置１０の操作子押圧操作を全体的に判断するためにマイコンなどを用いた判断部１２が設けられており、且つ、この判断部１２はリモコン装置１０に設けた複数の操作子２１〜３７を外部からそれぞれ押圧操作してオン／オフした時に、各操作子２１〜３７の外部からに対する操作に応じて、操作された各操作子２１〜３７を特定して各操作子２１〜３７に対応した制御機能の切り換えを指示する各制御機能信号を出力する機能を備えている。
【００４０】
更に、上記した判断部１２には、リモコン装置１０の動作プログラムを予め格納したＲＯＭ（Ｒｅａｄ  Ｏｎｌｙ  Ｍｅｍｏｒｙ）１２ａと、後述するように複数個の多機能グループ操作子（多機能グループボタン）の押圧操作に伴って変化する複数の制御機能の切り換えを巡回可能に指示する各制御機能信号（コードデータ又は変数）などをそれぞれ一時的に記憶するＲＡＭ（Ｒａｎｄｏｍ  Ａｃｃｅｓｓ  Ｍｅｍｏｒｙ）１２ｂとが内蔵されている。
【００４１】
また、リモコンケース１１の底面側には、不図示の電池ケースが取り付けられ、且つ、この電池ケース内に電池１３が着脱自在に装着されており、この電池１３を挿入して電池１３から判断部１２に駆動電流が供給されて判断部１２が作動したときに、上記した判断部１２内に設けたＲＡＭ１２ｂ内が初期化されると共に、後述するリモコン送信部１４にも駆動電流が供給されるようになっている。
【００４２】
また、リモコンケース１１の上面側となる操作パネル面１１ａ（図２）上には、ボタン方式又はタッチパネル方式による複数個の操作子２１〜３７が押圧操作可能に取り付けられており、この実施例では複数個の操作子２１〜３７として、操作パネル面１１ａよりも突出したボタンを複数個備えたボタン方式を採用しているが、平坦なタッチパネル面上に複数の押圧部を備えたタッチパネル方式でも良い。
【００４３】
そして、複数個の操作子（以下、ボタンと呼称する）２１〜３７は、リモコンケース１１内に収納した不図示のプリント配線基板上でマトリックス状に結線された状態で判断部１２の入力側にそれぞれ接続されている。
【００４４】
また、リモコンケース１１内には、判断部１２の出力側にリモコン送信部１４が接続されており、このリモコン送信部１４は各ボタン２１〜３７の押圧操作に伴って各ボタン２１〜３７に対応する制御機能の切り換えを指示する各制御機能信号を判断部１２から受け取り、後述するテレビジョン受像機（ＴＶ）５０に送信する機能を備えており、且つ、リモコン送信部１４内に設けた不図示の発光素子により判断部１２から各ボタンの制御機能の切り換えを指示する各制御機能信がそれぞれ光信号に変換されてテレビジョン受像機（ＴＶ）５０側に向けて送信されるようになっている。
【００４５】
次に、上記した本発明に係るリモコン装置１０により遠隔制御されるテレビジョン受像機（ＴＶ）５０は、全体を制御するシステムコントローラ５１と、地アナアンテナ５２で受信した地上アナログ放送を地アナチューナ５３を介して復調する第１の復調部５４と、地デジアンテナ５５で受信した地上デジタル放送を地デジチューナ５６を介して第２の復調部５７で復調した後に復号する第１の復号部５８と、ＢＳ／ＣＳアンテナ５９で受信したデジタルのＢＳ放送をＢＳチューナ６０を介して第３の復調部６１で復調した後に復号する第２の復号部６２と、上記したＢＳ／ＣＳアンテナ５９で受信したデジタルのＣＳ放送をＣＳチューナ６３を介して第４の復調部６４で復調した後に復号する第３の復号部６５とで信号形態が４系統に分離されており、第１の復調部５４，第１〜３の復号部５８，６２，６５からの各放送信号は後述の図２に示したリモコン装置１０に設けた「ＢＳ／ＣＳ」多機能グループボタン２４又は「地上デジ／アナ」多機能グループボタン２５の各ボタン押圧操作により信号切換部６６で所望の放送信号に選択的に切り換えられて、所望の放送の映像信号が表示処理部６７で処理された後にモニタ６８上に表示されている。
【００４６】
この際、テレビジョン受像機（ＴＶ）５０内に設けた各構成部５３〜６７は、システムコントローラ５１から点線で示した各制御信号によって制御されている。
【００４７】
また、リモコン装置１０のリモコン送信部１４から各ボタンの押圧操作に応じて光無線で出力されて、各ボタンの制御機能の切り換えを指示する各制御機能信号（各コードデータ）を不図示の光受信器で受信し、且つ、ここで光電変換された各コードデータをシステムコントローラ５１に供給するリモコン受信部６９とが設けられている。
【００４８】
この際、リモコン受信部６９で受信した各ボタンの制御機能を指示する各制御機能信号（各コードデータ）をシステムコントローラ５１に入力したときに、システムコントローラ５１は各ボタンの押圧操作に応じた各機能動作を行うための各ボタン信号を生成して、各ボタン信号により各ボタンの押圧操作に応じた各機能動作を行う構成部材を制御している。
【００４９】
尚、この実施例では、テレビジョン受像機（ＴＶ）５０内に設けたシステムコントローラ５１でリモコン装置１０に設けた複数のボタン２１〜３７の押圧操作に応じた各機能動作を行う構成部材を制御しているが、この機能をリモコン装置１０内に設けた判断部１２又は判断部１２とリモコン送信部１４との間に追加したリモコン制御部（図示せず）に持たせても良く、この場合には判断部１２又はリモコン制御部（図示せず）から複数のボタン２１〜３７の押圧操作に応じて各機能動作を行う各制御信号をテレビジョン受像機（ＴＶ）５０側に送信することも可能である。
【００５０】
尚また、テレビジョン受像機（ＴＶ）５０内には、電源と、音声処理部、スピーカなどが設けられているが、ここでの図示を省略する。
【００５１】
次に、図２に、本発明に係る操作子装置を適用したＴＶ用のリモコン装置１０を拡大して示し、このリモコン装置１０のリモコンケース１１の操作パネル面１１ａ上に取り付けた複数個のボタン２１〜３７について具体的に説明する。
【００５２】
上記した複数個のボタン２１〜３７のうちで、「入力切換」多機能ボタン２１は、このボタンを繰り返し押すことで、「テレビ放送」→「ＢＳ放送」→「ビデオ１」→「ビデオ２」→「ビデオ３」→「テレビ放送」→「ＢＳ放送」…の順に、４種類の制御機能の切り換えを巡回可能に指示するものである。
【００５３】
また、「電源」ボタン２２は、ＴＶ５０内に設けられて各構成部を駆動するための電源（図示せず）をオン／オフするものである。また、「放送切換」ボタン２３は、電気機器各メーカで製造されたＴＶ５０の機種の一部に対応して設けられており、このボタンを繰り返し押すことで見たい放送に切り換えるためのものである。
【００５４】
また、「ＢＳ／ＣＳ」多機能グループボタン２４は、通常時に、このボタンを繰り返し押すことで、ＴＶ５０に対して「ＢＳ放送」→「ＣＳ放送１」→「ＣＳ放送２」→「ＢＳ放送」→「ＣＳ放送１」→…の順に、３種類の制御機能の切り換えを巡回可能に指示するものである。
【００５５】
また、「地上デジ／アナ」多機能グループボタン２５は、通常時に、このボタンを繰り返し押すことで、ＴＶ５０に対して「地上デジタル放送」→「地上アナログ放送」→「地上デジタル放送」→「地上アナログ放送」→…の順に、２種類の制御機能の切り換えを巡回可能に指示するものである。
【００５６】
この際、上記した「ＢＳ／ＣＳ」多機能グループボタン２４と、「地上デジ／アナ」多機能グループボタン２５は、共に本発明の要部を構成しており、且つ、所定の関連条件としてユーザが見たい種類の放送を容易に選択できるように関連付けてグループ化された多機能ボタンであり、グループ化された「ＢＳ／ＣＳ」多機能グループボタン２４と、グループ化された「地上デジ／アナ」多機能グループボタン２５とを交互に押圧操作した場合に上記した通常時における複数の制御機能の切り換えとは異なる切り換え指示を与えるものであるが、これについては後で詳述する。
【００５７】
また、「１」〜「１２」の数字ボタン２６〜３７は、それぞれ一つの制御機能の実行を指示するように割り当てられており、これら複数個の数字ボタン２６〜３７によって、電機機器メーカ各社のＴＶ５０に対してメーカ設定を行ったり、あるいは、放送局のチャンネル指定を行うものである。
【００５８】
更に、複数個のボタン２１〜３７以外に、「音量」大・小用操作ボタン３８，３９や、「チャンネル」＋・−用操作ボタン４０，４１なども設けられている。
【００５９】
次に、本発明の要部を構成するグループ化された「ＢＳ／ＣＳ」多機能グループボタン２４を多機能グループボタンＡとして一般化し、且つ、グループ化され「地上デジ／アナ」多機能グループボタン２５を多機能グループボタンＢとして一般化すると共に、グループ化されていない複数個の数字ボタン２６〜３７（又はグループ化されない例えば「入力切換」多機能ボタン２１）をグループ化されていないボタンＣとして一般化して、図３に図示した時に、グループ化された多機能グループボタンＡ，Ｂ及びグループ化されていないボタンＣについて、図３を用いて説明する。
【００６０】
図３はグループ化された多機能グループボタンＡ，Ｂと、グループ化されていないボタンＣのボタンとを一般化して拡大して示した図である。
【００６１】
図３に拡大して示した如く、上記した「ＢＳ／ＣＳ」多機能グループボタン２４に相当して第１の操作子である多機能グループボタンＡと、上記した「地上デジ／アナ」多機能グループボタン２５に相当して第２の操作子である多機能グループボタンＢは、共に所定の関連条件に基づいて予め一つのグループとしてグループ化された多機能ボタンであることを、このリモコン装置１０（図１）の設計時に、リモコン装置１０の判断部１２内に設けたＲＯＭ１２ａが予め把握できるよう設定されているので、両多機能グループボタンＡ，Ｂのいずれかが押圧操作された場合にＲＯＭ１２ａ内に予め格納された動作プログラムに従って動作すると共に、下記するように多機能グループボタンＡ，Ｂの各押圧操作に伴って最後に押された各変数（各コードデータ）をリモコン装置１０の判断部１２内に設けたＲＡＭ１２ｂ内に一時的に記憶させている。
【００６２】
また、「ＢＳ／ＣＳ」多機能グループボタン２４に相当してグループ化された多機能グループボタン（第１の操作子）Ａは、通常時に、このボタンを押すたびに、複数の制御機能の切り換えを示す各変数（各コードデータ）が「Ａ１（1番目）」→「Ａ２（２番目）」→「Ａ３（３番目）」→「Ａ１」→「Ａ２」→「Ａ３」→…と３段階で順次切り換わって、３種類の制御機能の切り換えを巡回可能に指示するものである。
【００６３】
尚、この多機能グループボタンＡを、例えば、前記したリモコン装置１０に適用した場合には、上記した３段階の切り換え操作と同様に３段階で「ＢＳ放送」→「ＣＳ放送１」→「ＣＳ放送２」→「ＢＳ放送」→「ＣＳ放送１」→…の順に切り換え制御の実行を巡回可能に指示している。
【００６４】
また、上記した「地上デジ／アナ」多機能グループボタン２５に相当してグループ化された多機能グループボタン（第２の操作子）Ｂは、通常時に、このボタンを押すたびに、複数の制御機能の切り換えを示す各変数（各コードデータ）が「Ｂ１（1番目）」→「Ｂ２（２番目）」→「Ｂ３（３番目）」→「Ｂ４（1番目）」→「Ｂ１」→「Ｂ２」→「Ｂ３」→「Ｂ４」→…と４段階で順次切り換わって、４種類の制御機能の切り換えを巡回可能に指示するものである。
【００６５】
尚、この多機能グループボタンＢを、例えば、前記したリモコン装置１０に適用した場合には、上記した４段階の切り換え操作とは異なって２段階で「地上デジタル放送」→「地上アナログ放送」→「地上デジタル放送」→「地上アナログ放送」→…の順に切り換え制御の実行を巡回可能に指示している。
【００６６】
更に、グループ化されていない第３の操作子であるボタンＣは、例えば、一つの制御機能しか割り当てられていない複数個の数字ボタン２６〜３７とか、あるいは、上記した多機能グループボタンＡ，Ｂとは異なる例えば「入力切換」多機能ボタン２１などであり、これらグループ化されていないボタン（第３の操作子）Ｃの押圧操作はリモコン装置１０（図１）の判断部１２内に設けたＲＯＭ１２ａのみに従っており、ボタンＣに対応する送信信号はリモコン装置１０（図１）の判断部１２内に設けたＲＡＭ１２ａ内に記憶されることはない。
【００６７】
次に、グループ化された多機能グループボタンＡと、グループ化された多機能グループボタンＢと、グループ化されないボタンＣの各押圧操作について、先に説明した図１〜図３及び新たな図４を併用して説明する。
【００６８】
図４はグループ化された多機能グループボタンＡと、グループ化された多機能グループボタンＢと、グループ化されないボタンＣの各押圧操作を示したフロー図である。
【００６９】
尚、図４中において、グループ化された多機能グループボタンＡをＡボタンと呼称し、また、グループ化された多機能グループボタンＢをＢボタンと呼称し、更に、グループ化されないボタンＣをＣボタン又はその他ボタンＣと呼称して以下説明する。
【００７０】
但し、上記したＣボタンは複数の数字ボタン又はグループ化されていない多機能ボタンとする。
【００７１】
更に、図４中において、「足踏み」という用語を使用しているが、この「足踏み」とは、複数の制御機能の切り換えを指示し、且つ、互いに関連付けてグループ化されたＡボタンとＢボタンとを交互に押圧操作した際に、いずれか一方のボタンＡ（又はボタンＢ）を最後に押圧操作したときの送信信号をＲＡＭ１２ｂ内に一時的に記憶させ、この後、他方のボタンＢ（又はボタンＡ）を押圧操作し、更にその後に、一方のボタンＡ（又はボタンＢ）を一度だけ再操作することにより、ＲＡＭ１２ｂ内に以前に記憶させた一方のボタンＡ（又はボタンＢ）の送信信号を再度送信することであり、再度送信される一方のボタンＡ（又はボタンＢ）の送信信号はＲＡＭ１２ｂ内で更新されることなく、あたかも送信信号が足踏みした状態となることである。
【００７２】
図４に示した各ボタンの押圧操作のフローを説明する前に、Ａボタン及びＢボタンに対する条件設定について述べる。
【００７３】
まず、図４に示した如く、Ａボタン及びＢボタンによるグループボタンの定義と初期値について説明すると、Ａボタンは、前述したように１番目〜３番目の押圧操作により変化する３種類の変数（Ａ１／Ａ２／Ａ３）に対応した各制御機能信号（コードデータ）を順番に送信し、且つ、送信信号の初期値として「１番目」の制御機能信号（コードデータ）を指し示す変数をリモコン装置１０の判断部１２内に設けたＲＡＭ１２ｂ内に記憶させた後、Ａボタンの押圧操作に伴って最後に押された制御機能の切り換えを指示する変数（Ａ１／Ａ２／Ａ３）でＲＡＭ１２ｂ内に記憶した初期値を更新させている。
【００７４】
一方、Ｂボタンは、前述したように１番目〜４番目の押圧操作により変化する４種類の変数（Ｂ１／Ｂ２／Ｂ３／Ｂ４）に対応した各制御機能信号（コードデータ）を順番に送信し、且つ、送信信号の初期値として「１番目」の制御機能信号（コードデータ）を指し示す変数をリモコン装置１０の判断部１２内に設けたＲＡＭ１２ｂ内に記憶させた後、Ｂボタンの押圧操作に伴って最後に押された制御機能の切り換えを指示する変数（Ｂ１／Ｂ２／Ｂ３／Ｂ４）でＲＡＭ１２ｂ内に記憶した初期値を更新させている。
【００７５】
また、上記したＲＡＭ１２ｂ内に記憶される情報は、グループボタンで１つ前に押されたボタンの情報としてＡボタンであるか、それともＢボタンであるかを一時的に記憶している。
【００７６】
この際、ＲＡＭ１２ｂ内は、１つ前に押されたボタンの情報を記憶する領域と、Ａボタンの変数を記憶する領域と、Ｂボタンの変数を記憶する領域とをそれぞれ別々に有している。
【００７７】
ここで、上記したグループボタンの条件設定を満たした上で、グループ化されたＡボタンと、グループ化されたＢボタンと、グループ化されていないＣボタンとをそれぞれ押圧操作したときに、リモコン装置１０内に設けた判断部１２により各ボタンの押圧操作を判断するフローを説明すると、図４に示した如く、ステップＳ１１でボタンが押された後の次のステップＳ１２中では、Ｃボタンの動作フロー（ステップＳ１３，ステップＳ１４）と、Ａボタンの動作フロー（ステップＳ１５〜ステップＳ１９）と、Ｂボタンの動作フロー（ステップＳ２０〜ステップＳ２４）とに３分岐させており、各動作フローの最終ステップでボタン押圧操作がそれぞれ待機状態に至った際に、ボタンが再度押された場合には最初のステップＳ１１に必ず戻るように設定されている。
【００７８】
即ち、ステップＳ１１でボタンが押されると、ステップＳ１２で押されたボタンはＡボタンであるか、Ｂボタンであるか、それともＣボタンであるかを問う。
【００７９】
そして、ステップＳ１２で押されたボタンがＣボタンであれば、ステップＳ１３で押されたボタン個別の制御機能に対応する送信信号を送信し、この後、ステップＳ１４で待機状態に至る。そして、このステップＳ１４でボタン操作を待機している最中にボタンが再度押されたらステップＳ１１の「ボタン押された」にジャンプする。
【００８０】
また、ステップＳ１２で押されたボタンがＡボタンであれば、ステップＳ１５でＲＡＭ１２ｂに記憶されている１つ前に押されたグループボタンがＡボタンであるか、Ｂボタンであるかを問う。
【００８１】
そして、ステップＳ１５で１つ前に押されたグループボタンがＡボタンである場合には、ステップＳ１６でＡボタンの送信信号を次の信号へ変更し、この信号をＲＡＭ１２ｂ内に記憶させる。この際、ステップＳ１６において、現在ＲＡＭ１２ｂ内の記憶データがＡボタンの３番目のデータであれば、Ａボタンが３段階で切り換わるために巡回させて１番目の信号へ変更し、１番目の信号をＲＡＭ１２ｂ内に記憶させる。
【００８２】
更に、ステップＳ１６では、グループ内の同一のボタン、即ち、Ａボタンが連続して押されたため送信信号は次に進む（１つ前のＡボタンと今回のＡボタンとの途中でその他ボタンＣが押されてもステップＳ１３及びステップ１４を実行するのでＲＡＭ１２ｂ内の変数情報は不変）。これを言い換えると、このステップＳ１５では、Ａボタンが連続して押されたために、ＲＡＭ１２ｂに記憶された１つ前に押されたＡボタンの送信信号は出力されないので、Ａボタンの送信信号が足踏みしない状態である。
【００８３】
この後、後述するステップＳ１７に移行する。
【００８４】
一方、ステップＳ１５で１つ前に押されたグループボタンがＢボタン、又は、まだ押されていない初期状態の場合には、ステップＳ１６及びステップ１７に移行する。この際、ステップＳ１５において、１つ前にグループ内の別のＢボタンが押された場合にはＡボタンの送信信号を次に進めず（１つ前のＢボタンと今回のＡボタンとの途中でその他ボタンＣが押されてもステップＳ１３及びステップ１４を実行するのでＲＡＭ１２ｂ内の変数情報は不変）、Ａボタンの初期値を含めてＲＡＭ１２ｂ内に以前に記憶されているＡボタンの順番の信号をもう一度送信する。
【００８５】
即ち、一つ前にＢボタンが押された後に、Ａボタンを押した場合には、ＲＡＭ１２ｂ内に以前に記憶されているＡボタンの順番の信号を再度送信することになるので、Ａボタンの送信信号が足踏みした状態となる。
【００８６】
次に、ステップ１７では、ステップ１６でＲＡＭ１２ｂ内を信号が足踏みすることなく次に進んで記憶されているＡボタンの順番に相当する信号、又は、ステップ１５で１つ前のＢボタンの押圧操作、又は、まだ押されていない初期状態のときに、ＲＡＭ１２ｂ内に以前に記憶されていて足踏みしたＡボタンの順番に相当する信号を送信する。
【００８７】
次に、ステップＳ１８で押されたグループボタンとして「Ａボタン」をＲＡＭ１２ｂ内に記憶させる。
【００８８】
この後、ステップＳ１９で待機状態に至る。そして、このステップＳ１９でボタン操作を待機している最中にボタンが再度押されたらステップＳ１１の「ボタン押された」にジャンプする。
【００８９】
ここで再び、ステップＳ１２に戻り、ステップＳ１２で押されたボタンがＢボタンであれば、ステップＳ２０〜ステップＳ２４に従ってＢボタンの動作フローを行うものであるが、このステップＳ２０〜ステップＳ２４は、図示から明らかなように、先に説明したステップＳ１５〜ステップＳ１９に従うＡボタンの動作フロー中で、Ａボタンに関する記載をＢボタン、且つ、Ｂボタンに関する記載をＡボタンに置き換えると共に、Ｂボタンの切り換えを４段階とすれば良いものである。
【００９０】
即ち、ステップＳ１２で押されたボタンがＢボタンであれば、ステップＳ２０でＲＡＭ１２ｂに記憶されている１つ前に押されたグループボタンがＢボタンであるか、Ａボタンであるかを問う。
【００９１】
そして、ステップＳ２０で１つ前に押されたグループボタンがＢボタンである場合には、ステップＳ２１でＢボタンの送信信号を次の信号へ変更し、この信号をＲＡＭ１２ｂ内に記憶させる。この際、ステップＳ２１において、現在ＲＡＭ１２ｂ内の記憶データがＢボタンの４番目のデータであれば、Ｂボタンが４段階で切り換わるために巡回させて１番目の信号へ変更し、１番目の信号をＲＡＭ１２ｂ内に記憶させる。
【００９２】
更に、ステップＳ２１では、グループ内の同一のボタン、即ち、Ｂボタンが連続して押されたため送信信号は次に進む（１つ前のＢボタンと今回のＢボタンとの途中でその他ボタンＣが押されてもステップＳ１３及びステップ１４を実行するのでＲＡＭ１２ｂ内の変数情報は不変）。これを言い換えると、このステップＳ２１では、Ｂボタンが連続して押されたために、ＲＡＭ１２ｂに記憶された１つ前に押されたＢボタンの送信信号は出力されないので、Ｂボタンの送信信号が足踏みしない状態である。
【００９３】
この後、後述するステップＳ２２に移行する。
【００９４】
一方、ステップＳ２０で１つ前に押されたグループボタンがＡボタン、又は、まだ押されていない初期状態の場合には、ステップ２２に移行する。この際、ステップＳ２０において、１つ前にグループ内の別のＡボタンが押された場合にはＢボタンの送信信号を次に進めず（１つ前のＡボタンと今回のＢボタンとの途中でその他ボタンＣが押されてもステップＳ１３及びステップ１４を実行するのでＲＡＭ１２ｂ内の変数情報は不変）、Ｂボタンの初期値を含めてＲＡＭ１２ｂ内に以前に記憶されているＢボタンの順番の信号をもう一度送信する。
【００９５】
即ち、一つ前にＡボタンが押された後に、Ｂボタンを押した場合には、ＲＡＭ１２ｂ内に以前に記憶されているＢボタンの順番の信号を再度送信することになるので、Ｂボタンの送信信号が足踏みした状態となる。
【００９６】
次に、ステップ２２では、ステップ２１でＲＡＭ１２ｂ内を信号が足踏みすることなく次に進んで記憶されているＢボタンの順番に相当する信号、又は、ステップ２０で１つ前のＡボタンの押圧操作、又は、まだ押されていない初期状態のときに、ＲＡＭ１２ｂ内に以前に記憶されていて足踏みしたＢボタンの順番に相当する信号を送信する。
【００９７】
次に、ステップＳ２３で押されたグループボタンとして「Ｂボタン」をＲＡＭ１２ｂ内に記憶させる。
【００９８】
この後、ステップＳ２４で待機状態に至る。そして、このステップＳ２４でボタン操作を待機している最中にボタンが再度押されたらステップＳ１１の「ボタン押された」にジャンプする。
【００９９】
次に、図４に示した動作フローに従って各ボタンの押圧操作を行ったときに、いくつかの具体例について動作フローを参照しながら説明する。
【０１００】
まず、（１）グループ化されたＡボタン、又は、グループ化されたＢボタンを連続して押圧操作する場合、
この（１）項の場合には、先に説明した通常時の動作であり、３種類の制御機能の切り換えを指示するＡボタンの場合にはＡボタンの動作フローに従い、Ａボタンの１番目の押圧操作ではステップＳ１５でまだ押されていない初期状態となるのでステップ１７でＲＡＭ１２ｂに記憶されているＡボタンの初期値「Ａ１」に対応する信号が送信され、次にＡボタンの２番目の押圧操作ではステップＳ１５で１つ前にＡボタンが押されているので、ステップＳ１６で次に進んで「Ａ２」となり、以下、Ａボタンの送信信号が足踏みしないで「Ａ１」→「Ａ２」→「Ａ３」→「Ａ１」→…の順に巡回して切り換わる。また、４種類の制御機能の切り換えを指示するＢボタンの場合には、Ｂボタンの動作フローに従い、上記と同様に、「Ｂ１」→「Ｂ２」→「Ｂ３」→「Ｂ４」→「Ｂ１」→…の順に巡回して切り換わる。
【０１０１】
次に、（２）グループ化されたＡボタンと、グループ化されたＢボタンとを交互に押圧操作する場合、
この（２）項の場合には、例えば、３種類の制御機能の切り換えを指示するＡボタンを続けて二度押し、この後、４種類の制御機能の切り換えを指示するＢボタンを続けて三度押し、更にこの後、Ａボタンを一度押し、これに続いてＢボタンを一度押した例では、最初にＡボタンを続けて二度押すと、上記した（１）項によりＡボタンの二度の押圧操作で２番目の「Ａ２」の変数がＲＡＭ１２ｂ内に一時的に記憶されると共に、「Ａ２」に対応する信号が送信される。
【０１０２】
この後、Ｂボタンを続けて三度押すと、Ｂボタンの１番目の押圧操作ではステップＳ２０で１つ前にＡボタンが押されているので、ステップＳ２２でＲＡＭ１２ｂ内に記憶されているＢボタンの初期値「Ｂ１」に対応する信号が送信され、次にＢボタンの２番目及び３番目の押圧操作ではステップＳ２０で１つ前にＢボタンが押されているので、ステップＳ２１で次に進んで「Ｂ２」，「Ｂ３」の順にこれらと対応する信号が足踏みしないで送信されると共に、最後に押圧操作されたＢボタンの変数「Ｂ３」がＲＡＭ１２ｂ内に一時的に記憶される。
【０１０３】
この後、Ａボタンが一度押されると、ステップＳ１５で１つ前にＢボタンが押されているので、即ち、グループ内の別のＢボタンが押されているために、前述したように、Ａボタンの送信信号を次に進めず、ＲＡＭ１２ｂ内に以前に記憶したＡボタンの変数「Ａ２」に対応する信号が送信されるので、ここではＡボタンの送信信号が足踏みした状態となる。
【０１０４】
これに続いてＢボタンを一度押すと、ステップＳ２０で１つ前にＡボタンが押されているので、即ち、グループ内の別のＡボタンが押されているために、前述したように、Ｂボタンの送信信号を次に進めず、ＲＡＭ１２ｂ内に以前に記憶したＢボタンの変数「Ｂ３」に対応する信号が送信されるので、ここでもＢボタンの送信信号が足踏みした状態となる。
【０１０５】
更に、その後、ＡボタンとＢボタンとが交互にそれぞれ一度づつ押圧操作された場合には、ＲＡＭ１２ｂ内に以前に記憶された各ボタンの送信信号が足踏みした状態で送信されるものである。
【０１０６】
上記したように、本発明に係る操作子装置によれば、グループ化された多機能グループボタン（Ａボタン）と、グループ化された他の多機能グループボタン（Ｂボタン）とを交互に押圧操作した場合に、再度押圧操作される各多機能グループボタン（Ａボタン，Ｂボタン）は一度だけの押圧操作のみでＲＡＭ１２ｂ内に以前に記憶された各多機能グループボタンの変数に対応する送信信号が足踏みした状態で送信されるので、再度押圧操作される各多機能グループボタン（Ａボタン，Ｂボタン）中の制御機能を常に使用するものとすれば、ユーザの多機能グループボタン（Ａボタン，Ｂボタン）への押圧操作が簡単となると共に、機器に対して常に使用する制御機能を迅速に切り換えることができるので、複数の制御機能の切り換えを指示するグループ化された多機能グループボタン（Ａボタン，Ｂボタン）の使用勝手が良好となると共に、２個以上の多機能グループボタン（Ａボタン，Ｂボタン）を有することで、複数個のボタンの数量を削減することができる。
【０１０７】
次に、（３）グループ化された最初のＡボタン（又は最初のＢボタン）の押圧操作と、グループ化された次回のＡボタン（又は次回のＢボタン）の押圧操作との間に、少なくとも一つ以上のグループ化されていないＣボタンを押圧操作する場合、
この（３）項の場合には、先のステップＳ１６（又はステップＳ２１）で説明したように、最初のＡボタン（又は最初のＢボタン）と次回のＡボタン（又は次回のＢボタン）との間で押圧操作される一つ以上のその他ボタンＣに対してＲＡＭ１２ｂ内の変数情報は不変であるので、一つ以上のその他ボタンＣを押圧操作したときに一つ以上のその他ボタンＣの個別の制御機能に相当する送信信号が送信される。
【０１０８】
この後、次回のＡボタン（又は次回のＢボタン）が押圧操作されると、ステップＳ１６（又はステップＳ２１）で説明したように、ＲＡＭ１２ｂ内に記憶された最初のＡボタン（又は最初のＢボタン）の変数が次に進んで更新され、足踏みすることなく、次回のＡボタン（又は次回のＢボタン）の押圧操作に対応した送信信号が送信される。
【０１０９】
上記したようにグループ化された複数の多機能グループボタン（Ａボタン，Ｂボタン）のうちで同一の多機能グループボタンを連続して押圧操作する間に、少なくとも一つ以上のグループ化されていないボタン（Ｃボタン）が押圧操作された場合には、グループ化されていないボタンに続いて押圧操作される同一の多機能グループボタンはＲＡＭ１２ｂ内に以前に記憶した変数が送信されずに、足踏みすることなく、次に進んで送信されるので、使用勝手が良好となる。
【０１１０】
次に、（４）グループ化された最初のＡボタン（又は最初のＢボタン）の押圧操作と、グループ化された次回のＢボタン（又は次回のＡボタン）の押圧操作との間に、少なくとも一つ以上のグループ化されていないＣボタンを押圧操作する場合、
この（４）項の場合には、最初のＡボタン（又は最初のＢボタン）と、次回のＢボタン（又は次回のＡボタン）との間で押圧操作される一つ以上のその他ボタンＣに対してＲＡＭ１２ｂ内の変数情報は無視されるので、一つ以上のその他ボタンＣを押圧操作したときに一つ以上のその他ボタンＣの個別の制御機能に相当する送信信号が送信される。この後、次回のＢボタン（又は次回のＡボタン）が押圧操作されると、先に（２）項で説明したと同様に、最初のＡボタン（又は最初のＢボタン）と、次回のＢボタン（又は次回のＡボタン）との間は足踏み状態が維持されているので、次回のＢボタン（又は次回のＡボタン）を一度だけ押圧操作した場合には、次回のＢボタン（又は次回のＡボタン）の初期値を含めて押圧操作された次回のＢボタン（又は次回のＡボタン）のＲＡＭ１２ｂ内に以前に記憶された変数に対応する送信信号が足踏みした状態で送信される。
【０１１１】
この（４）項の場合にも、先に説明した（２）項の場合と同様に、複数の制御機能の切り換えを指示するグループ化された多機能グループボタン（Ａボタン，Ｂボタン）の使用勝手が良好となると共に、２個以上の多機能グループボタン（Ａボタン，Ｂボタン）を有することで、複数個のボタンの数量を削減することができる。
【０１１２】
尚、この実施例では、グループ化された「ＢＳ／ＣＳ」多機能グループボタン２４に対して３段階に巡回させてＢＳ，ＣＳ１，ＣＳ２への切り換えを実行し、且つ、グループ化された「地上デジ／アナ」多機能グループボタン２５に対して２段階に巡回させて地上デジタル，地上アナログへの切り換えを実行するように説明したが、グループ化された多機能グループボタンは２個以上の複数個も設けることが可能であると共に、各多機能グループボタンは複数の制御機能の切り換えを巡回可能に指示することが可能であるので、例えば、ＣＳ／ＢＳ／地デジ／地アナの切り換えとか、又は、入力１／入力２／入力３の切り換えとか、ビデオ１／ビデオ２／ビデオ３の切り換えなど適宜設定できるものである。
【０１１３】
更に、この実施例において、本発明に係る操作子装置を遠隔制御するためのリモコン装置１０に適用した場合について説明したが、これに限ることなく、本発明に係る操作子装置の要部となる２以上の多機能ボタンをグループ化して、これらグループ化された２以上の多機能グループボタンを電子機器や携帯端末に直接取り付けることも可能であり、この場合にはリモコン送信部及びリモコン受信部を設けることなく、各多機能グループボタンからの制御機能の切り換えを指示する各制御機能信号（各コードデータ）を判断部を介してシステムコントローラに直接送信すれば良いものである。
【図面の簡単な説明】
【０１１４】
【図１】本発明に係る操作子装置を説明するための全体構成図である。
【図２】本発明に係る操作子装置を適用したＴＶ用のリモコン装置を拡大して示した上面図である。
【図３】グループ化された多機能グループボタンＡ，Ｂと、グループ化されていないボタンＣのボタンとを一般化して拡大して示した図である。
【図４】グループ化された多機能グループボタンＡと、グループ化された多機能グループボタンＢと、グループ化されないボタンＣの各押圧操作を示したフロー図である。
【図５】従来例１の操作子装置をＴＶ用のリモコン装置に適用した場合を示した上面図である。
【図６】従来例２の操作子装置をリモコン送信器に適用した場合を示した上面図である。
【符号の説明】
【０１１５】
１０…操作子装置（リモコン装置）、
１１…リモコンケース、１１ａ…操作パネル面、
１２…判断部、１２ａ…ＲＯＭ、１２ｂ…ＲＡＭ、
１３…電池、１４…リモコン送信部、
２１〜３７…複数個の操作子（複数個のボタン）、
２１…「入力切換」多機能ボタン、２２…「電源」ボタン、
２３…「放送切換」ボタン、
２４…「ＢＳ／ＣＳ」多機能グループボタン、
２５…「地上デジ／アナ」多機能グループボタン、
２６〜３７…複数個の数字ボタン、
３８，３９…「音量」大・小用操作ボタン、
４０，４１…「チャンネル」＋・−用操作ボタン、
５０…テレビジョン受像機（ＴＶ）、
５１…システムコントローラ、５２…地アナアンテナ、５３…地アナチューナ、
５４…第１の復調部、５５…地デジアンテナ、５６…地デジチューナ、
５７…第２の復調部、５８…第１の復号部、５９…ＢＳ／ＣＳアンテナ、
６０…ＢＳチューナ、６１…第３の復調部、６２…第２の復号部、
６３…ＣＳチューナ、６４…第４の復調部、６５…第３の復号部、
６６…信号切換部、６７…表示処理部、６８…モニタ、６９…リモコン受信部、
Ａ，Ｂ…グループ化された第１，第２の操作子（Ａボタン，Ｂボタン）、
Ｃ…グループ化されていない第３の操作子（Ｃボタン）。
【図１】
0004985301.tif 000002
【図２】
0004985301.tif 000003
【図３】
0004985301.tif 000004
【図４】
0004985301.tif 000005
【図５】
0004985301.tif 000006
【図６】
0004985301.tif 000007